(57)【要約】【課題】測定精度が高い測定装置を提供する。【解決手段】大気に含まれる粒子状物質を濾紙で収集する測定部と、内部に大気を流通させ、測定部に大気を導入する採集管と、測定部が取り付けられる筐体と、を備え、測定部は、採集管が接続される第１部材と、第１部材と対向して設けられる第２部材と、を有し、第１部材および第２部材は、互いの対向面において濾紙を挟持し、第１部材は、採集管の一端が接続される試料大気流路と、試料大気流路と交差して設けられ、β線が通過するβ線照射路と、が形成され、試料大気流路は、第１部材と第２部材とで濾紙を挟持したとき濾紙に面する位置に一端が開口し、濾紙の表面の法線方向と交差する方向に延在しており、筐体は、試料大気流路を鉛直方向に向けた姿勢で測定部を保持する保持部を有し、採集管と試料大気流路とが連通して形成される内部空間が、直線状に形成され、かつ鉛直方向に延在している測定装置。【選択図】図３
2018017666.tif 000002
【特許請求の範囲】
【請求項１】
大気に含まれる粒子状物質を濾紙で収集する測定部と、
内部に前記大気を流通させ、前記測定部に前記大気を導入する採集管と、
前記測定部が取り付けられる筐体と、を備え、
前記測定部は、前記採集管が接続される第１部材と、
前記第１部材と対向して設けられる第２部材と、を有し、
前記第１部材および前記第２部材は、互いの対向面において前記濾紙を挟持し、
前記第１部材は、前記採集管の一端が接続される試料大気流路と、
前記試料大気流路と交差して設けられ、β線が通過するβ線照射路と、が形成され、
前記試料大気流路は、前記第１部材と前記第２部材とで前記濾紙を挟持したとき前記濾紙に面する位置に一端が開口し、前記濾紙の表面の法線方向と交差する方向に延在しており、
前記筐体は、前記試料大気流路を鉛直方向に向けた姿勢で前記測定部を保持する保持部を有し、
前記採集管と前記試料大気流路とが連通して形成される内部空間が、直線状に形成され、かつ鉛直方向に延在している測定装置。
【請求項２】
前記保持部は、前記筐体に設けられた傾斜面である請求項１に記載の測定装置。
【請求項３】
前記濾紙は帯状であり、
ロール状に巻き取られた前記濾紙を前記測定部の方に巻き出す巻出しロールと、
前記測定部にて前記粒子状物質を収集した後の前記濾紙を巻き取る巻取りロールと、
前記巻出しロールと前記巻取りロールとの間に設定された前記濾紙の搬送経路に設けられ、前記濾紙を搬送する搬送ローラと、
前記巻出しロールおよび前記巻取りロールの動作を制御する制御部と、を有し、
前記搬送ローラは、自身の回転角度を検出する検出手段が設けられ、
前記制御部は、前記検出手段により検出された回転角度に基づいて、前記濾紙の巻出し長さを制御する請求項１または２に記載の測定装置。
【請求項４】
前記測定部において、前記試料大気流路の一端に重なるように、前記第１部材と前記第２部材との間に着脱自在に挿入される校正部材を有し、
前記測定部は、前記第１部材と前記第２部材とを接続する柱状部材を有し、
前記柱状部材は、前記試料大気流路の一端を挟んで前記試料大気流路の一端の両側に設けられ、
前記校正部材は、等価膜と、前記等価膜を保持する枠体とを有し、
前記枠体は、周縁部に設けられた第１切欠き部と、前記等価膜を挟んで前記第１切欠き部とは反対側の前記周縁部に設けられた第２切欠き部と、を有し、
前記第１切欠き部に収容される仮想円の中心と、前記第２切欠き部に収容される仮想円と前記第２切欠き部との接点と、を結ぶ線分の長さは、前記中心と、前記第１切欠き部から前記接点までの前記周縁部上の任意の点と、を結ぶ線分の長さよりも常に長い請求項１から３のいずれか１項に記載の測定装置。
【発明の詳細な説明】
【技術分野】
【０００１】
本発明は、測定装置に関するものである。
【背景技術】
【０００２】
従来、大気中の粒子状物質（粉塵）が人体に与える影響が懸念されている。日本においては、大気汚染防止法の規定に基づいて、ＳＰＭ（浮遊粒子状物質）やＰＭ２．５（微小粒子状物質）の環境基準値と測定方法とが制定されている（例えば、非特許文献１参照）。
【０００３】
このような大気中の粒子状物質濃度の測定に際し用いられる装置として、β線吸収法を測定原理とした測定装置が知られている（例えば、特許文献１参照）。従来の測定装置においては、採取管を介して装置内に取り込んだ大気中の粒子状物質を濾紙上に捕集した後、濾紙上の粒子状物質の質量と試料空気の体積とに基づいて、粒子状物質濃度（単位：μｇ／ｍ３）を求めることとしている。
【先行技術文献】
【特許文献】
【０００４】
【特許文献１】特開平０９−１２７０２３号公報
【非特許文献】
【０００５】
【非特許文献１】“環境大気常時監視マニュアル  第６版”、［online］、環境省、［平成２８年６月１４日検索］、インターネット＜URL：http://www.env.go.jp/air/osen/manual_6th/＞
【発明の概要】
【発明が解決しようとする課題】
【０００６】
２００９年に制定された上記非特許文献１に記載の測定方法においては、ＰＭ２．５の測定に際し、採取管の採取口から濾紙までが直線状に構成され、採取管に屈曲部があってはならないと定められている。採取管に屈曲部を有すると、試料空気が採取管の内壁にあたった際、試料空気に含まれる粒子状物質が試料管の内壁に付着し、測定精度が低下するおそれがある。
【０００７】
しかし、従来の測定装置では、採取管の採取口から濾紙までのどこかに屈曲部を有する装置構成となっており、試料空気の採取という点においては、理想的な装置構成とはなっていなかった。
【０００８】
本発明はこのような事情に鑑みてなされたものであって、測定精度が高い測定装置を提供することを目的とする。
【課題を解決するための手段】
【０００９】
上記の課題を解決するため、本発明の一態様は、大気に含まれる粒子状物質を濾紙で収集する測定部と、内部に前記大気を流通させ、前記測定部に前記大気を導入する採集管と、前記測定部が取り付けられる筐体と、を備え、前記測定部は、前記採集管が接続される第１部材と、前記第１部材と対向して設けられる第２部材と、を有し、前記第１部材および前記第２部材は、互いの対向面において前記濾紙を挟持し、前記第１部材は、前記採集管の一端が接続される試料大気流路と、前記試料大気流路と交差して設けられ、β線が通過するβ線照射路と、が形成され、前記試料大気流路は、前記第１部材と前記第２部材とで前記濾紙を挟持したとき前記濾紙に面する位置に一端が開口し、前記濾紙の表面の法線方向と交差する方向に延在しており、前記筐体は、前記試料大気流路を鉛直方向に向けた姿勢で前記測定部を保持する保持部を有し、前記採集管と前記試料大気流路とが連通して形成される内部空間が、直線状に形成され、かつ鉛直方向に延在している測定装置を提供する。
【００１０】
本発明の一態様においては、前記保持部は、前記筐体に設けられた傾斜面である構成としてもよい。
【００１１】
本発明の一態様においては、前記濾紙は帯状であり、ロール状に巻き取られた前記濾紙を前記測定部の方に巻き出す巻出しロールと、前記測定部にて前記粒子状物質を収集した後の前記濾紙を巻き取る巻取りロールと、前記巻出しロールと前記巻取りロールとの間に設定された前記濾紙の搬送経路に設けられ、前記濾紙を搬送する搬送ローラと、前記巻出しロールおよび前記巻取りロールの動作を制御する制御部と、を有し、前記搬送ローラは、自身の回転角度を検出する検出手段が設けられ、前記制御部は、前記検出手段により検出された回転角度に基づいて、前記濾紙の巻出し長さを制御する構成としてもよい。
【００１２】
本発明の一態様においては、前記測定部において、前記試料大気流路の一端に重なるように、前記第１部材と前記第２部材との間に着脱自在に挿入される校正部材を有し、前記測定部は、前記第１部材と前記第２部材とを接続する柱状部材を有し、前記柱状部材は、前記試料大気流路の一端を挟んで前記試料大気流路の一端の両側に設けられ、前記校正部材は、等価膜と、前記等価膜を保持する枠体とを有し、前記枠体は、周縁部に設けられた第１切欠き部と、前記等価膜を挟んで前記第１切欠き部とは反対側の前記周縁部に設けられた第２切欠き部と、を有し、前記第１切欠き部に収容される仮想円の中心と、前記第２切欠き部に収容される仮想円と前記第２切欠き部との接点と、を結ぶ線分の長さは、前記中心と、前記第１切欠き部から前記接点までの前記周縁部上の任意の点と、を結ぶ線分の長さよりも常に長い構成としてもよい。
【発明の効果】
【００１３】
本発明によれば、測定精度が高い測定装置を提供することができる。
【図面の簡単な説明】
【００１４】
【図１】実施形態に係る測定装置１を示す概略斜視図。
【図２】測定装置１の一部拡大図。
【図３】測定装置１の測定部１０の周辺構造について示す概略断面図。
【図４】校正部材７０を示す概略図。
【図５】校正部材７０の使用方法を示す説明図。
【図６】校正部材７０の使用方法を示す説明図。
【図７】校正部材７０の使用方法を示す説明図。
【発明を実施するための形態】
【００１５】
［第１実施形態］
以下、図１〜図７を参照しながら、本発明の実施形態に係る測定装置について説明する。なお、以下の全ての図面においては、図面を見やすくするため、各構成要素の寸法や比率などは適宜異ならせてある。
【００１６】
また、以下の説明においては、ｘｙｚ直交座標系を設定し、このｘｙｚ直交座標系を参照しつつ各部材の位置関係について説明する。ここでは、水平面内の所定方向をｘ軸方向、水平面内においてｘ軸方向と直交する方向をｙ軸方向、ｘ軸方向及びｙ軸方向のそれぞれと直交する方向（すなわち鉛直方向）をｚ軸方向とする。すなわち、本明細書において、水平方向とは図におけるｘｙ平面方向であり、鉛直方向とは図におけるｚ軸方向である。
【００１７】
図１は、本実施形態に係る測定装置１を示す概略斜視図である。図２は、測定装置１の一部拡大図である。
【００１８】
図１、２に示すように、本実施形態の測定装置１は、測定部１０と、採集管２０と、筐体３０と、搬送部４０と、制御部５０とを有している。測定装置１は、β線吸収法を測定原理とし、例えば、大気中の粒子状物質の濃度を求めることができる測定装置である。
【００１９】
測定部１０は、大気に含まれる粒子状物質を濾紙Ｆで収集する。測定部１０には採集管２０が取り付けられている。
【００２０】
測定部１０は、採集管２０が接続される第１部材１１と、第１部材１１と対向して設けられる第２部材１２と、を有している。第１部材１１と第２部材１２とは、それぞれ略直方体状の外部形状を呈する部材である。第１部材１１および第２部材１２は、それぞれ面１１ａ、面１２ａにて対向している。
【００２１】
第１部材１１および第２部材１２は、２本のガイドボルト（柱状部材）１９にて接続されている。ガイドボルト１９は、面１１ａおよび面１２ａの対角の位置において、第１部材１１および第２部材１２を貫通し、第１部材１１および第２部材１２を螺合している。このようなガイドボルト１９は、後述する試料大気流路１１１の一端１１１ｘを挟んで試料大気流路１１１の一端１１１ｘの両側に設けられることとなる。
【００２２】
第１部材１１および第２部材１２は、ガイドボルト１９の締め方を調節することで、互いの相対的距離が変化するように構成されている。これにより、第１部材１１および第２部材１２は、互いの対向面（面１１ａ、面１２ａ）において濾紙Ｆを挟持することができる。
【００２３】
採集管２０は、内部に前記大気を流通させ、測定部１０に大気を導入する筒状の部材である。本実施形態では、採集管２０は、端部にアダプター２８を有している。採集管２０は、アダプター２８にて第１部材１１に取り付けられている。
【００２４】
採集管２０は、例えばステンレス製の筒状部材である。採集管２０は、単なる筒状の部材であってもよく、内部を流動する大気を除湿する除湿器や大気を加熱する加熱器の一部であってもよい。
【００２５】
筐体３０は、不図示の配管やポンプや配線等を収容する。また、筐体３０は、測定部１０が取り付けられる保持部３１を有する。保持部３１は、水平方向に対して傾斜した傾斜面となっている。
【００２６】
通常、測定部１０は、筐体３０の内部に収容されている。図１においては、筐体３０の一部の構成を捨象し、破線で表示している。筐体３０には、収容している測定部１０等の構成を操作するための操作窓がもうけられていてもよい。
【００２７】
搬送部４０は、帯状の濾紙Ｆを搬送する。測定原理上は、測定装置における測定の度に、枚葉の濾紙を取り換えて測定を続けることとしてもよいが、帯状の濾紙Ｆを用い、測定毎に濾紙Ｆの位置をずらしながら、連続的に運転するとよい。
【００２８】
搬送部４０は、ロール状に巻き取られた濾紙Ｆを測定部１０の方に巻き出す巻出しロール４１と、測定部１０にて粒子状物質を収集した後の濾紙Ｆを巻き取る巻取りロール４２と、を有している。また、巻出しロール４１と巻取りロール４２との間に設定された濾紙Ｆの搬送経路上には、搬送ローラ４３、４４が設けられている。図では、傾斜面である保持部３１の法線方向からの視野において、測定部１０を挟むように一方側に巻出しロール４１、搬送ローラ４３、他方側に巻取りロール４２、搬送ローラ４４が設けられている。
【００２９】
巻出しロール４１から巻きだされた濾紙Ｆは、測定部１０の第１部材１１と第２部材１２との間の空間を介して巻取りロール４２に巻き取られる。測定部１０で用いられた濾紙Ｆは、測定毎に巻出しロール４１、巻取りロール４２により位置がずらされる。
【００３０】
搬送ローラ４３または搬送ローラ４４の少なくともいずれか一方は、自身の回転角度を検出する不図示の検出手段が設けられているとよい。これにより、検出された回転角度と、検出手段を有するローラの直径と、に基づいて、濾紙Ｆの巻出し長さを制御することができる。図では、搬送ローラ４３が自身の回転角度を検出する検出手段を有することとし、検出結果を制御部５０に出力している。
【００３１】
制御部５０は、測定部１０で捕集した粒子状物質の量に基づいた大気中の粒子状物質濃度の算出を行う。算出された値は、例えば、表示部５９に表示される。
【００３２】
また、制御部５０は、搬送ローラ４３または搬送ローラ４４の回転角度を検出する検出手段の検出結果が入力され、当該検出結果に基づいて巻出しロール４１または巻取りロール４２の動作を制御する。図では、制御部５０は、搬送ローラ４３が有する検出手段から、搬送ローラ４３の回転角度の検出結果が入力され、当該検出結果に基づいて巻取りロール４２の動作を制御することとしている。
さらには、制御部５０は、後述する吸引ポンプ２９の動作を制御することとしてもよい。
【００３３】
図３は、測定装置１の測定部１０の周辺構造について示す概略断面図である。図に示すように、第１部材１１には、試料大気流路１１１と、β線照射路１１２と、が形成されている。
【００３４】
試料大気流路１１１は、採集管２０の一端２０ｘが接続されている。試料大気流路１１１は、第１部材１１と第２部材１２とで濾紙Ｆを挟持したとき濾紙Ｆに面する位置に、一端１１１ｘが開口している。試料大気流路１１１は、濾紙Ｆの表面の法線方向と交差する方向、言い換えると面１１ａの法線方向に対して交差する方向に延在している。
【００３５】
試料大気流路１１１と採集管２０とは連通しており、試料大気流路１１１の内壁１１１ａと採集管２０の内壁２０ａとで囲まれた空間（内部空間Ｓ）は、試料大気流路１１１の一端１１１ｘから採集管２０の他端２０ｙまで直線状に形成されている。ここで、「直線状に形成」とは、採集管２０および試料大気流路１１１が屈曲または湾曲していないことを意味する。
【００３６】
このような場合、例えば、採集管２０の他端２０ｙにおける開口の中心と、試料大気流路１１１の一端１１１ｘの開口の中心とを結ぶ仮想線Ｌを想定したとき、仮想線Ｌが試料大気流路１１１の内壁１１１ａまたは採集管２０の内壁２０ａに接することがない。
【００３７】
試料大気流路１１１と採集管２０とで形成される内部空間Ｓが直線状であることにより、採集管２０から取り込んだ大気に含まれる粒子状物質が、試料大気流路１１１の内壁１１１ａや採集管２０の内壁２０ａに衝突しにくく、濾紙Ｆで捕集しやすくなる。これにより、測定誤差が低減する。
【００３８】
β線照射路１１２は、β線が通過する空間であり、試料大気流路１１１と交差して設けられている。β線照射路１１２の一端１１２ｘは、試料大気流路１１１の側壁に開口しており、β線透過膜１１５が設けられている。β線照射路１１２の他端１１２ｙには、β線源６０が設けられている。
【００３９】
また、第２部材１２には、試料大気流路１２１と、β線照射路１２２と、が形成されている。
図３において、試料大気流路１２１は、第１部材１１と第２部材１２とで濾紙Ｆを挟持したとき濾紙Ｆに面する位置に、一端１２１ｘが開口している。試料大気流路１２１は、濾紙Ｆの表面の法線方向と交差する方向、言い換えると面１２ａの法線方向に対して交差する方向に延在している。
【００４０】
試料大気流路１２１の他端１２１ｙは、配管を介して吸引ポンプ２９と接続している。吸引ポンプ２９は不図示の制御部（図１、２参照）により制御されている。また、吸引ポンプ２９は、試料大気流路１２１に設けられた流量計の測定値に基づいて、制御部により動作を制御されていてもよい。
【００４１】
β線照射路１２２は、β線が通過する空間であり、試料大気流路１２１と交差して設けられている。β線照射路１２２の一端１２２ｘは、試料大気流路１２１の側壁に開口しており、β線透過膜１２５が設けられている。β線照射路１２２の他端１２２ｙには、検出器６１が設けられている。
【００４２】
このような測定部１０は、保持部３１にて保持されている。保持部３１は、試料大気流路１１１を鉛直方向に向けた姿勢で測定部１０を保持している。
【００４３】
このような構成の測定装置１においては、第１部材１１と第２部材１２とで濾紙Ｆを挟持した状態で、吸引ポンプ２９を起動することにより、採集管２０を介して粒子状物質を含む大気が測定部１０に導入される。測定部１０では、濾紙Ｆ上に大気に含まれる粒子状物質が堆積する。
【００４４】
測定装置１では、濾紙Ｆに堆積した粒子状物質に対して、β線源６０から照射されるβ線を照射する。β線は、β線照射路１１２、β線透過膜１１５を介して濾紙Ｆに堆積した粒子状物質に照射される。さらに、β線は、β線透過膜１２５、β線照射路１２２を介して検出器６１にて検出される。
【００４５】
制御部５０では、検出器６１で測定されるβ線強度を用い、公知のβ線吸収法に従って、大気中の粒子状物質濃度を求める。
【００４６】
ここで、従来用いられていた測定装置においては、採集管２０と試料大気流路１１１とが連通して形成される内部空間Ｓが、以下の理由により直線状に形成されておらず、理想的な測定ができていなかった。
【００４７】
まず第１の理由として、従来の測定装置の構成が、他の測定装置との関係による構成であることが挙げられる。
【００４８】
従来の測定装置では、粒子状物質以外の大気汚染物質を測定する他の測定装置を積み重ねて配置し、測定装置全体の設置面積を小さくするため、採取管が装置の上面ではなく、装置の背面または側面に取り付けられていた。そのため、鉛直上向きに採取管の採取口を向けると、装置本体の入口において採取管が一部屈曲する構成となっていた。
【００４９】
また第２の理由として、従来の測定装置の構成が、β線吸収法による測定精度を確保するための装置構成であることが挙げられる。
【００５０】
従来の測定装置内においても、本実施形態の測定装置１における測定部１０のように、粒子状物質を捕集する濾紙を保持するユニットが設けられている。このようなユニットにおいても、測定部１０と同様に、濾紙で捕集した粒子状物質にβ線を照射する構成として、β線源から照射されるβ線が通過するβ線照射路が設けられている。
【００５１】
このような構成の測定装置においては、β線源から濾紙上の粒子状物質までの距離が離れると、測定精度が低下するおそれがある。そのため、従来の測定装置では、ユニットにおいて粒子状物質を捕集する位置の濾紙表面に対し、できるだけ法線方向からβ線を照射可能なようにβ線照射路が形成されている。
【００５２】
このような技術思想で設計されているユニットにおいて、濾紙に試料空気を導入する採取管は、β線源やβ線照射路と干渉しない位置に設けられることとなる。そのため、採取管は、ユニットにおいて粒子状物質を捕集する位置の濾紙表面に対し、濾紙表面の法線と交差する方向からユニットに接続される構成となっていた。さらに、ユニットにおいて採取管と接続する試料大気流路は、β線照射路と交差するように設けられる構成となっていた。
【００５３】
このようなユニットの構成は、上述した第１の理由に基づく測定装置の構成との親和性が高い。そのため、上記第１の理由と第２の理由とを満たす構成として、測定装置の側面に採取管が設けられた構成が長らく採用され、採取管の採取口から濾紙までのどこかに屈曲部を有し、採取管の内部空間が曲がった装置構成となっていた。
【００５４】
これに対し、本発明の測定装置１においては、従来構成の測定装置と同様の技術思想において試料大気流路１１１，１２１およびβ線照射路１１２，１２２が設けられた測定部１０とし、さらに試料大気流路１１１が鉛直方向に向くように、保持部３１にて測定部１０を保持している。このように保持された測定部１０に採集管２０を接続すると、試料大気流路１１１と採集管２０とで形成される内部空間Ｓが直線状となる。これにより、測定装置１においては、理想的な測定が可能となる。
【００５５】
なお、本実施形態の測定装置１は、測定に際し、装置に付属する等価膜を用いて感度の校正が行われる。図４は、校正部材７０を示す概略図である。
【００５６】
図に示すように、本実施形態の測定装置１に付属する校正部材７０は、等価膜７１と、枠体７２とを有している。
【００５７】
等価膜７１は、特定の単位面積当たりの質量を有し、単位面積当たりの質量の基準として使用される合成樹脂性の膜である。校正時には、濾紙のみにβ線を照射したときの透過β線強度と、濾紙上に等価膜を載置してこれらにβ線を照射したときの透過β線強度とを計測する。そして、これらの測定値に基づいてスパン構成を行う。
【００５８】
枠体７２は、等価膜を保持する部材である。枠体７２は、枠体７２の周縁部７２ａに設けられた第１切欠き部７０１と、等価膜７１を挟んで第１切欠き部７０１とは反対側の周縁部７２ａに設けられた第２切欠き部７０２と、第２切欠き部７０２に隣り合う凸状の係止部７０３と、を有している。
【００５９】
後述するように、校正部材７０は、第１切欠き部７０１と第２切欠き部７０２とを、測定部１０のガイドボルト１９に当接させるように設置して用いる。このようにして用いる校正部材７０の設置を容易にするため、校正部材７０は次のような思想に基づいた形状となっている。
【００６０】
まず、第１切欠き部７０１は、鉤状に設けられている。具体的には、第１切欠き部７０１は、ガイドボルト１９の径と同程度の直径の円（仮想円ＶＣ１）を収容可能な大きさとなっている。図では、第１切欠き部７０１において、鉤状に湾曲する内側の曲率は、仮想円ＶＣ１の曲率と同等以上となっている。
【００６１】
一方、第２切欠き部７０２は、等価膜７１を挟んで第１切欠き部７０１とは反対側の周縁部７２ａに設けられた凹部であり、ガイドボルト１９の径と同程度の直径の円（仮想円ＶＣ２）を収容可能な大きさとなっている。
【００６２】
ここで、校正部材７０において第１切欠き部７０１に収容されると仮想した仮想円ＶＣ１の中心を、中心Ｐ１とする。
また、第２切欠き部７０２に収容されると仮想した仮想円ＶＣ２と、第２切欠き部７０２における周縁部７２ａとの接点を、接点Ｐ２とする。
また、第１切欠き部７０１から接点Ｐ２までの周縁部７２ａ上の任意の点を、点Ｐ３とする。
また、接点Ｐ２から係止部７０３までの周縁部７２ａ上の任意の点を点Ｐ４とする。
【００６３】
このとき、本実施形態の校正部材７０は、中心Ｐ１と接点Ｐ２とを結ぶ線分Ａの長さＬａと、中心Ｐ１と点Ｐ３とを結ぶ線分Ｂの長さＬｂとが、常に長さＬａ＞長さＬｂとなるように設けられている。
また、本実施形態の校正部材７０は、長さＬａと、中心Ｐ１と点Ｐ４とを結ぶ線分Ｃの長さＬｃとが、長さＬａ＜長さＬｃとなるように設けられている。
【００６４】
このような校正部材７０は、次のようにして使用する。図５〜７は、校正部材７０の使用方法を示す説明図である。図５，７では、測定装置１が、筐体に作業用の操作窓を有し、操作窓を介して測定部１０周辺の作業を行うこととしている。
【００６５】
まず、図５に示すように、ガイドボルト１９を緩め、測定部１０の第１部材１１と第２部材１２との間に隙間を形成する。次いで、校正部材７０の第１切欠き部７０１を、等価膜７１が下方となるように一方（上側）のガイドボルト１９ａに引っかけ、手を放す。
【００６６】
ガイドボルト１９は、水平方向に対し傾斜して取り付けられている。そのため、校正部材７０から手を放すと、図６に示すように、校正部材７０は重力方向に引かれ、第１切欠き部７０１を中心として回動する。
【００６７】
さらに、図６，７に示すように、回動する校正部材７０は、第２切欠き部７０２が他方（下側）のガイドボルト１９ｂに当接して止まる。
【００６８】
このとき、図４に示すように、校正部材７０の形状が常に長さＬａ＞長さＬｂとなるように設けられているため、回動の途中で第２切欠き部７０２以外の周縁部７２ａがガイドボルト１９ｂに触れることがない。さらに、校正部材７０の形状が長さＬａ＜長さＬｃとなるように設けられているため、校正部材７０は、係止部７０３を超えて回動することなく、第２切欠き部７０２で確実にガイドボルト１９ｂに当接する。これにより、校正部材７０は、２本のガイドボルト１９に当接した状態で設置される。
【００６９】
測定部１０において、２本のガイドボルト１９の間には、試料大気流路１１１の一端１１１ｘが開口している。そのため、測定部１０に挟持された濾紙Ｆでは、２本のガイドボルト１９の間で粒子状物質を捕集する。
【００７０】
一方、上述したようにして校正部材７０を測定部１０に配置すると、第１切欠き部７０１と第２切欠き部７０２との間に設けられた等価膜７１が、測定部１０において粒子状物質を捕集する位置に重なることとなる。そのため、上述したような校正部材７０を備える測定装置１では、校正が容易となり、測定精度を担保しやすくなる。
【００７１】
また、第２部材１２の面１２ａの濾紙Ｆが配置される部分を含む領域に、深さが濾紙Ｆの厚さより大きく、濾紙Ｆに沿って第２部材１２を横断する溝状の凹部を形成し、濾紙Ｆが凹部の底面に接触するように構成してもよい。このような構成において、濾紙Ｆが凹部の底面に接触するように配置すると、濾紙Ｆは、第１部材１１の面１１ａと第２部材１２の面１２ａとの間隙に露出しないこととなる。一方、校正部材７０は、第１部材１１の面１１ａと第２部材１２の面１２ａとの間隙に挿入し２本のガイドボルト１９に当接した状態で設置されるため、第１部材１１の面１１ａと第２部材１２の面１２ａとの間隙に位置することになる。
【００７２】
このため、上記凹部を設けた構成の測定装置では、校正部材７０を用いた校正時に校正部材７０が濾紙Ｆに接触して、濾紙Ｆの位置が変化することがなく、濾紙Ｆの位置変化により等価膜校正の再現性が悪くなることを防止することができる。
【００７３】
以上のような構成の測定装置１によれば、測定精度が高い測定装置となる。
【００７４】
以上、添付図面を参照しながら本発明に係る好適な実施の形態例について説明したが、本発明は係る例に限定されないことは言うまでもない。上述した例において示した各構成部材の諸形状や組み合わせ等は一例であって、本発明の主旨から逸脱しない範囲において設計要求等に基づき種々変更可能である。
【符号の説明】
【００７５】
１…測定装置、１０…測定部、１１…第１部材、１１ａ，１２ａ…面、１２…第２部材、１９…ガイドボルト（柱状部材）、２０…採集管、２０ｘ，１１１ｘ，１１２ｘ，１２１ｘ，１２２ｘ…一端、３０…筐体、３１…保持部、４１…巻出しロール、４２…巻取りロール、５０…制御部、７０…校正部材、７１…等価膜、７２…枠体、７２ａ…周縁部、１１１，１２１…試料大気流路、１１２，１２２…β線照射路、７０１…第１切欠き部、７０２…第２切欠き部、Ｆ…濾紙、Ｓ…内部空間、ＶＣ１，ＶＣ２…仮想円、Ｐ１…中心、Ｐ２…接点、Ｐ３…第１切欠き部から接点までの周縁部上の任意の点、Ｐ４…接点から係止部までの周縁部上の点
【図１】
2018017666.tif 000003
【図２】
2018017666.tif 000004
【図３】
2018017666.tif 000005
【図４】
2018017666.tif 000006
【図５】
2018017666.tif 000007
【図６】
2018017666.tif 000008
【図７】
2018017666.tif 000009